(57)【要約】【課題】テレビジョン受像機において、ユーザのテレビ視聴時間帯に応じて装置の動作を制御することができるようにして、ユーザの使い勝手を向上させる。【解決手段】テレビジョン受像機（ＴＶ）は、ＴＶの視聴履歴を管理することにより、ユーザのテレビ視聴時間帯を解析する。そして、ユーザによるＴＶの視聴が、通常のテレビ視聴時間帯から外れていると判定した場合（＃２１でＹＥＳ）、テレビの視聴を続けるか否かの確認メッセージを画面表示し（＃２２）、所定時間内にユーザからの応答がなかった場合には（＃２４でＹＥＳ）、自動的に電源をオフにし（＃２６）、所定時間内にユーザから視聴する旨の応答があった場合には（＃２３でＹＥＳ）、電源オン状態を維持する（＃２５）。このように、ユーザのライフサイクルに基づいてＴＶの動作を制御することにより、ユーザによるＴＶの使い勝手を向上させることができる。【選択図】        図５
2004349946.tif 000002
【特許請求の範囲】
【請求項１】
日時情報及び曜日情報を出力可能なタイマーと、前記タイマーからの出力値に基づいて電源のオフ動作を制御する制御手段とを備えたテレビジョン受像機において、
電源のオン動作をした時の日時情報及び曜日情報を含む電源オン情報と、電源のオフ動作をした時の日時情報及び曜日情報を含む電源オフ情報とを記憶する電源オン／オフ情報記憶手段と、
前記記憶された電源オン情報及び／又は電源オフ情報に基づいて、ユーザの曜日毎のテレビ視聴時間帯を解析するテレビ視聴時間帯解析手段とをさらに備え、
前記制御手段は、
電源がオン状態であるときに、前記タイマーからの出力値と前記テレビ視聴時間帯解析手段による解析結果とに基づいて、現在の曜日と時間が前記ユーザのテレビ視聴時間帯から外れているか否かを判定し、
前記判定の結果、前記テレビ視聴時間帯から外れていると判定した場合に、電子番組ガイド情報を利用して番組の切れ目で、テレビの視聴を続けるか否かの確認メッセージを画面表示及び／又は音声出力し、
前記画面表示及び／又は音声出力されてから所定時間、ユーザからの応答を待って、
前記所定時間内にユーザからの応答がなかった場合に、電源をオフにし、
前記所定時間内にユーザから視聴する旨の応答があった場合に、電源オン状態を維持するようにしたことを特徴とするテレビジョン受像機。
【請求項２】
日時情報を出力可能なタイマーと、前記タイマーからの出力値に基づいて自装置の動作を制御する制御手段とを備えたテレビジョン受像機において、
電源のオン動作をした時の日時情報を含む電源オン情報、及び／又は電源のオフ動作をした時の日時情報を含む電源オフ情報を記憶する記憶手段と、
前記記憶された電源オン情報及び／又は電源オフ情報に基づいて、ユーザのテレビ視聴時間帯を解析するテレビ視聴時間帯解析手段とをさらに備え、
前記制御手段は、少なくとも前記タイマーからの出力値と前記テレビ視聴時間帯解析手段による解析結果とに基づいて自装置の動作を制御することを特徴とするテレビジョン受像機。
【請求項３】
前記記憶手段は、電源のオン動作をした時の日時情報と曜日情報とを含む電源オン情報を記憶し、
前記テレビ視聴時間帯解析手段は、前記記憶された電源オン情報に基づいて、ユーザの曜日毎のテレビ視聴時間帯を解析し、
前記制御手段は、少なくとも前記タイマーの出力値と前記テレビ視聴時間帯解析手段による解析結果とに基づいて電源のオン動作を制御することを特徴とする請求項２に記載のテレビジョン受像機。
【請求項４】
前記記憶手段は、電源のオフ動作をした時の日時情報と曜日情報とを含む電源オフ情報を記憶し、
前記テレビ視聴時間帯解析手段は、前記記憶された電源オフ情報に基づいて、ユーザの曜日毎のテレビ視聴時間帯を解析し、
前記制御手段は、少なくとも前記タイマーの出力値と前記テレビ視聴時間帯解析手段による解析結果とに基づいて電源のオフ動作を制御することを特徴とする請求項２に記載のテレビジョン受像機。
【請求項５】
前記制御手段は、少なくとも前記タイマーからの出力値と前記テレビ視聴時間帯解析手段による解析結果と電子番組ガイド情報とに基づいて自装置の動作を制御することを特徴とする請求項２乃至請求項４のいずれかに記載のテレビジョン受像機。
【発明の詳細な説明】
【０００１】
【発明の属する技術分野】
本発明は、テレビジョン受像機に関するものである。
【０００２】
【従来の技術】
従来から、ユーザが予めセットした時刻、又は設定した時間の経過後に、自動的に電源のオン／オフ等の動作を行う、いわゆるオンタイマー機能やオフタイマー機能等を有するテレビジョン受像機（以下、ＴＶという）が知られている。しかしながら、従来のＴＶにおいては、ユーザが自ら各種動作を行う時間を設定しなければならず、設定操作が煩雑だった。また、例えば、ユーザが電源をオフにする時間を設定する前に、ＴＶを見ながら眠ってしまった場合には、オフタイマー機能は役に立たなかった。
【０００３】
一方、近年、ＴＶは生活になくてはならないものとして普及しており、ＴＶの視聴時間はユーザのライフサイクルの中で、一定の割合を占めるようになっている。従って、ユーザのテレビ視聴時間帯を把握できれば、上述した煩雑な設定をしなくても、ユーザのライフサイクルに適したＴＶの動作の制御を行うことが可能となる。
【０００４】
ところで、利用された履歴を管理し、履歴に基づく情報を画面上に表示するＴＶが知られている（例えば、特許文献１参照）。また、タイマーと、番組情報を取得する手段等を有することにより、予め定められた時間にＴＶの電源を自動的にオフにする装置が知られている（例えば、特許文献２参照）。また、視聴中の番組の終了をＥＰＧ（Ｅｌｅｃｔｒｉｃ  Ｐｒｏｇｒａｍ  Ｇｕｉｄｅ）により判断し、番組の終了をユーザに通知して、この通知に対するユーザからの応答の有無によってＴＶの電源のオフ動作を制御する装置が知られている（例えば、特許文献３参照）。
【０００５】
【特許文献１】
特開平９−４６６０８号公報
【特許文献２】
特開２０００−２６１７３７号公報
【特許文献３】
特開２０００−１５２１２４号公報
【０００６】
【発明が解決しようとする課題】
ところが、上記特許文献１に記載の発明では、ＴＶの視聴履歴に関する情報を表示することはできるが、履歴を利用してＴＶの動作を自動的に制御することはできない。また、上記特許文献２に記載の発明では、個人のライフサイクルまで考慮して、ＴＶのオフ動作を制御することはできない。また、上記特許文献３に記載の発明においても、番組の終了後、ユーザからの応答がない場合に、自動的に電源をオフにすることができるものの、個人のライフサイクルまで考慮してＴＶの動作を制御することはできない。
【０００７】
本発明は、上述した問題点を解決するためになされたものであり、ユーザのテレビ視聴時間帯に応じてＴＶの動作を制御することができるようにして、ユーザのライフサイクルに適した使い勝手の良いテレビジョン受像機を提供することを目的とする。
【０００８】
【課題を解決するための手段】
上記目的を達成するために請求項１の発明は、日時情報及び曜日情報を出力可能なタイマーと、前記タイマーからの出力値に基づいて電源のオフ動作を制御する制御手段とを備えたテレビジョン受像機において、電源のオン動作をした時の日時情報及び曜日情報を含む電源オン情報と、電源のオフ動作をした時の日時情報及び曜日情報を含む電源オフ情報とを記憶する電源オン／オフ情報記憶手段と、前記記憶された電源オン情報及び／又は電源オフ情報に基づいて、ユーザの曜日毎のテレビ視聴時間帯を解析するテレビ視聴時間帯解析手段とをさらに備え、前記制御手段は、電源がオン状態であるときに、前記タイマーからの出力値と前記テレビ視聴時間帯解析手段による解析結果とに基づいて、現在の曜日と時間が前記ユーザのテレビ視聴時間帯から外れているか否かを判定し、前記判定の結果、前記テレビ視聴時間帯から外れていると判定した場合に、電子番組ガイド情報を利用して番組の切れ目で、テレビの視聴を続けるか否かの確認メッセージを画面表示及び／又は音声出力し、前記画面表示及び／又は音声出力されてから所定時間、ユーザからの応答を待って、前記所定時間内にユーザからの応答がなかった場合に、電源をオフにし、前記所定時間内にユーザから視聴する旨の応答があった場合に、電源オン状態を維持するようにしたものである。
【０００９】
上記構成においては、電源オン／オフ情報記憶手段により記憶した電源オン情報及び／又は電源オフ情報に基づいて、ユーザの曜日毎のテレビ視聴時間帯が解析され、この解析結果を利用して電源のオン／オフ動作が制御される。
【００１０】
ここで、テレビ視聴時間帯の解析は、電源オン情報及び／又は電源オフ情報に基づいて行われるが、例えば、一日を複数の時間区分に分割して、区分ごとに、電源をオンにした時刻又は電源をオフにした時刻の平均値を求めることにより行われる。この際、同一時間区分内で複数回、電源がオン又はオフにされる場合には、例えば、区分内で最初に電源がオンにされ、又は最後に電源がオフにされた時刻のみを解析に用いるようにしてもよいし、また、電源のオンからオフ又はオフからオンまでの時間が所定時間以上ないデータは解析に用いないようにしてもよい。例えば、朝の時間区分で最初に電源がオンにされた時刻のみを解析に用いることにより、ユーザが朝、起床してＴＶの電源を入れる平均的な時間をオンタイマーの情報として利用することができ、夜の時間区分で最後に電源がオフにされた時刻のみを解析に用いることにより、ユーザが夜、テレビを消して就寝する平均的な時間をオフタイマーの情報として利用することができる。また、一定の頻度以上で電源がオンになっている時間帯を抽出し、抽出された時間帯に関してのみテレビ視聴時間帯の解析を行うようにしても良い。
【００１１】
さらに、テレビ視聴時間帯を解析する際に、以下のような方法を用いることにより、ユーザのライフサイクルに、より適したテレビ視聴時間帯の解析を行うことができる。例えば、タイマーが祝祭日に関する情報を出力可能であれば、祝祭日は平日のライフサイクルとは異なるので、祝祭日の電源オン／オフ情報のデータを、平日のＴＶ視聴時間帯の解析の際に用いないようにする。また、電源オン情報及び／又は電源オフ情報のデータが平均値から所定値以上外れている場合、例えば、有休等の理由によりユーザのＴＶ視聴状況が通常のライフサイクルと大きく異なった場合には、このような電源オン情報及び／又は電源オフ情報のデータをＴＶ視聴時間帯の解析の際に用いないようにする。
【００１２】
また、上記構成においては、現在の曜日と時間がユーザの通常のＴＶ視聴時間帯から外れていると判断した場合に、ユーザにＴＶの視聴を続けるか否かの問い合わせを行い、所定時間内にユーザからの応答がなかった場合には自動的に電源をオフにする。このとき、確認メッセージを画面表示する場合には、ユーザの番組視聴をできるだけ妨げないように確認メッセージをＯＳＤ（Ｏｎ−Ｓｃｒｅｅｎ  Ｄｉｓｐｌａｙ）表示することが好ましい。また、ユーザへの問い合わせは、ＥＰＧを利用して番組の切れ目で行うが、最初の確認以降、番組の切れ目ごとに確認するようにしてもよい。
【００１３】
請求項２の発明は、日時情報を出力可能なタイマーと、前記タイマーからの出力値に基づいて自装置の動作を制御する制御手段とを備えたテレビジョン受像機において、電源のオン動作をした時の日時情報を含む電源オン情報、及び／又は電源のオフ動作をした時の日時情報を含む電源オフ情報を記憶する記憶手段と、前記記憶された電源オン情報及び／又は電源オフ情報に基づいて、ユーザのテレビ視聴時間帯を解析するテレビ視聴時間帯解析手段とをさらに備え、前記制御手段は、少なくとも前記タイマーからの出力値と前記テレビ視聴時間帯解析手段による解析結果とに基づいて自装置の動作を制御するものである。
【００１４】
この構成においては、記憶された電源オン情報及び／又はオフ情報に基づいて、ユーザのテレビ視聴時間帯を解析し、この解析結果を利用して自装置の動作を制御する。上記解析の際における演算の方法としては、必ずしも曜日ごとに演算する必要はなく、例えば平日と休日に分けて演算してもよい。また、制御の対象となる動作としては、例えば、電源のオン／オフ動作や、通常のライフサイクルから外れていることを画面に表示し、及び／又は音声出力をしてユーザに注意を促す動作がある。
【００１５】
請求項３の発明は、請求項２に記載のテレビジョン受像機において、前記記憶手段は、電源のオン動作をした時の日時情報と曜日情報とを含む電源オン情報を記憶し、前記テレビ視聴時間帯解析手段は、前記記憶された電源オン情報に基づいて、ユーザの曜日毎のテレビ視聴時間帯を解析し、前記制御手段は、少なくとも前記タイマーの出力値と前記テレビ視聴時間帯解析手段による解析結果とに基づいて電源のオン動作を制御するものである。
【００１６】
この構成においては、記憶された電源オン情報に基づいて、ユーザの曜日毎のテレビ視聴時間帯を解析し、この解析結果を利用することにより、電源のオン動作を制御する。
【００１７】
請求項４の発明は、請求項２に記載のテレビジョン受像機において、前記記憶手段は、電源のオフ動作をした時の日時情報と曜日情報とを含む電源オフ情報を記憶し、前記テレビ視聴時間帯解析手段は、前記記憶された電源オフ情報に基づいて、ユーザの曜日毎のテレビ視聴時間帯を解析し、前記制御手段は、少なくとも前記タイマーの出力値と前記テレビ視聴時間帯解析手段による解析結果とに基づいて電源のオフ動作を制御するものである。
【００１８】
この構成においては、記憶された電源オフ情報に基づいて、ユーザの曜日毎のテレビ視聴時間帯を解析し、この解析結果を利用することにより、電源のオフ動作を制御する。
【００１９】
請求項５の発明は、請求項２乃至請求項４のいずれかに記載のテレビジョン受像機において、前記制御手段は、少なくとも前記タイマーからの出力値と前記テレビ視聴時間帯解析手段による解析結果と電子番組ガイド情報とに基づいて自装置の動作を制御するものである。
【００２０】
この構成においては、テレビ視聴時間帯の解析結果に加えて、ＥＰＧを利用することにより、例えば、番組の視聴中は、電源のオン／オフや各種メッセージの表示・音声出力等の動作をすることなく、番組の切れ目でこれらの動作を行うようにすることができる。
【００２１】
【発明の実施の形態】
本発明の第１の実施形態によるテレビジョン受像機（以下、ＴＶという）について図面を参照して説明する。図１は、第１の実施形態によるＴＶの構成を示している。ＴＶ１は、放送局から配信されるテレビジョン放送信号を、アンテナ３を介して受信し、受信した信号に基づいてテレビ放送の映像及び音声を再生する装置である。
【００２２】
ＴＶ１は、リモコン２からの赤外線信号を受信するリモコン受信部１１と、アンテナ３を介してテレビジョン放送信号を受信するチューナ１２と、デコーダ１３と、映像信号にオンスクリーン表示信号を重畳するＯＳＤ回路１４と、映像信号及びオンスクリーン表示信号に基づいて映像を表示するディスプレイ１５と、音声信号に基づいて音声を出力する音声出力部１６と、メモリ１７と、日時情報及び曜日情報を出力するタイマー１８と、これら各部を制御する制御部１９とから構成されている。
【００２３】
デコーダ１３は、チューナ１２で受信したテレビジョン放送信号を映像／音声信号等に復調すると共に、テレビジョン放送信号中のＥＰＧ（Ｅｌｅｃｔｒｉｃ  Ｐｒｏｇｒａｍ  Ｇｕｉｄｅ）データを抽出して、制御部１９及びメモリ１７に出力する。メモリ１７（電源オン／オフ情報記憶手段、記憶手段）は、電源オン情報及び電源オフ情報を記憶すると共に、ＥＰＧを記憶する。
【００２４】
制御部１９（制御手段、テレビ視聴時間帯解析手段）は、ユーザによるリモコン２からの操作に応じて、上記各部を制御し、電源のオン／オフ動作の制御、電源オン情報及び電源オフ情報をメモリ１７に記憶する際の動作の制御、記憶された複数の電源オン情報又は電源オフ情報を演算して、ユーザのテレビ視聴時間帯を解析する際の動作の制御、テレビジョン放送信号の受信チャンネルの選局の制御等の装置全体の制御を行う。
【００２５】
次に、上記のテレビ視聴時間帯の解析動作について図面２乃至図面４を用いて説明する。図２は、ユーザの一週間のＴＶ視聴状況を例示している。平日（月曜日から金曜日まで）は、およそ朝６：３０から７：３０までＴＶ１の電源が入れられていることから、ユーザは、平日はおよそ６：３０に起床し、７：３０頃に家を出ていることが推察される。また、土曜日及び日曜日の視聴時間帯が平日とは異なることから、このユーザは、土日が休みであることが推察される。さらにまた、月曜日から木曜日の夜は２４：００頃には電源がオフにされていることから、このユーザは次の日が休みでなければ、２４：００頃には就寝することが推察される。このユーザのライフサイクルを考慮して、通常のテレビ視聴時間帯から外れたＴＶ１の視聴が行われた場合には、ユーザにＴＶ１の視聴を続けるか否かを問い合わせ、自動的に電源のオン／オフ動作を制御する。具体的には、以下のような手順によりＴＶ１の動作制御を行う。
【００２６】
制御部１９は、電源のオン／オフ動作が行われると、電源オン情報及び電源オフ情報を、メモリ１７内の複数のテーブルに所定の時間区分毎に整理して格納する。図３に、上記のテーブルの例として、時間区分２２：００から２６：００（０４：００）までの電源オフ情報を記憶するテーブルを示す。テーブル３０には、曜日ごとに過去４週間分の電源オフ情報が記憶されており、制御部１９は、図４に示されるような流れで、ユーザのテレビ視聴時間帯を解析して、自動的に電源オフにする時間３２（以下、電源オフ時間という）を決定する。
【００２７】
制御部１９は、過去４週間分の電源オフ情報を用いて曜日毎にその平均値３１を求め（＃１）、求めた平均値３１（図３参照）に、マージンとして１０分を加算することにより（＃２）、電源オフ時間のデータ３２（図３参照）を得る（＃３）。ここで、平均値３１にマージンを加えて電源オフ時間３２を得るのは、電源をオフにする時間にある程度の幅を持たせてユーザの番組視聴を妨げないようにするためである。
【００２８】
次に、ＴＶ１の自動電源オフ動作ついて図５のフローチャートを参照して説明する。制御部１９は、電源が入れられている間、タイマー１８からの出力値と、上述した方法により求めた電源オフ時間３２を参照して、電源オフ時間３２を経過したか否かを判断する（＃２１）。そして、電源オフ時間３２を経過したと判断した場合には（＃２１でＹＥＳ）、映像信号に重ねて、図６に示されるような確認メッセージをＯＳＤ表示する（＃２２）。さらに、制御部１９は、所定時間内にＥｎｔｅｒキーが押されたか否かを判断し（＃２３，＃２４）、所定時間内にＥｎｔｅｒキーが押された場合（＃２３でＹＥＳ）には電源オン状態を維持し（＃２５）、所定時間内にＥｎｔｅｒキーが押されなかった場合（＃２４でＹＥＳ）には電源をオフにする（＃２６）。
【００２９】
ＴＶ１の電源オフ動作を上記のように制御することにより、例えば、ユーザが夜にＴＶ１を視聴していて眠ってしまった場合であっても、制御部１９は、ユーザのテレビ視聴時間が通常のテレビ視聴時間帯から外れている場合には自動的に電源をオフにする。
【００３０】
なお、自動電源オン動作の際には、電源オフ時間と同様の方法で電源オン時間を求めて、電源オン時間を経過したと判断した場合に自動的に電源をオンにする。
【００３１】
次に、本発明の第２の実施形態によるテレビジョン受像機について図８及び図９を参照して説明する。第２の実施形態によるＴＶ１は、ＥＰＧを利用して電源のオン／オフ動作を制御する点で、第１の実施形態によるＴＶ１と異なる。
【００３２】
第２の実施形態に係るＴＶ１の電源オフ動作について図７のフローチャートを参照して説明する。制御部１９は、第１の実施形態と同様の手順により、電源オフ時間３２を決定し、タイマー１８からの出力値に基づいて、電源オフ時間３２を経過したか否かを判断する（＃３１）。そして、電源オフ時間３２を経過していると判断した場合には（＃３１でＹＥＳ）、ＥＰＧを利用して番組の切れ目が検出されたかどうかを判断し（＃３２）、番組の切れ目を検出すると（＃３２でＹＥＳ）、映像信号に重ねて、図６に示されるような確認メッセージをＯＳＤ表示する（＃３３）。さらに、制御部１９は、所定時間内にＥｎｔｅｒキーが押されたか否かを判断し（＃３４，＃３５）、所定時間内にＥｎｔｅｒキーが押された場合（＃３４でＹＥＳ）には電源オン状態を維持し（＃３６）、所定の時間内にＥｎｔｅｒキーが押されなかった場合（＃３５でＹＥＳ）には電源をオフにする（＃３７）。
【００３３】
ＴＶ１の電源オフ動作を上記のように制御することにより、第１の実施形態に係るＴＶ１と比較して以下のような効果がある。図８は、第１の実施形態及び第２の実施形態におけるＴＶ１のＯＳＤ表示のタイミングを説明するための図である。図８において、ａの時点で電源オフ時間３２（図３参照）を経過したものとする。第１の実施形態のＴＶ１においては、図中のａの時点で確認メッセージをディスプレイ上に表示する。このため、番組の途中で確認メッセージが表示されてしまい番組の視聴を妨げてしまう場合がある。一方、第２の実施形態においては、番組の視聴中に、電源オフ時間３２を経過しても番組の視聴中は確認メッセージが表示されず、必ず番組の切れ目、すなわち図中のｂの時点で確認メッセージを表示するため、番組の視聴を妨げることはない。また、電源オフ時間３２、経過後は番組の切れ目ごと（図中のｃ，ｄの時点）に、視聴するか否かをユーザに確認することにより、ユーザが番組の途中で眠ってしまった場合であっても、自動的にＴＶ１の電源をオフにすることができる。
【００３４】
なお、本発明は上記実施形態の構成に限られることなく種々の変形が可能である。例えば、ＴＶ１の電源のオン／オフ制御を行う際に、必ずしもユーザに確認を取る必要はなく、電源オン／オフ時間が経過すると、自動的に電源をオン又はオフにしてもよい。また、テレビ視聴時間帯を解析する方法は、上記実施例に示される方法に限られず、電源オン情報及び／又は電源オフ情報を管理して、ユーザが一定の頻度でＴＶを視聴している時間帯を把握することができればよい。また、番組の切れ目の検出に利用する情報はＥＰＧに限られず、例えば、ＶＢＩ（Ｖｅｒｔｉｃａｌ  Ｂｌａｎｋｉｎｇ  Ｉｎｔｅｒｖａｌ）等を利用してＣＭを検出して番組の切れ目を検出するようにしてもよい。また、視聴したチャンネル情報もメモリに記憶して、動作制御に利用するようにしてもよい。さらにまた、電源オフ時間を決定する際のマージンの設定やユーザへの問い合わせの際の所定時間の設定を、ユーザが任意に行うことができるようにしてもよい。これらの条件をユーザが自ら設定可能とすることにより、ユーザのライフサイクルにより適合したＴＶの動作制御を行うことができる。
【００３５】
【発明の効果】
以上のように請求項１の発明によれば、ユーザのテレビ視聴時間帯を解析し、この解析結果を利用して電源のオン／オフ動作を制御するようにしたことにより、ユーザにより煩雑なタイマーの設定がされなくても、ユーザのライフサイクルに合ったＴＶの自動制御を行うことができ、ユーザが簡便な操作で自分のライフサイクルに合ったテレビ視聴を行うことができる。
【００３６】
また、動作制御の際のユーザへの問い合わせを、ＥＰＧを利用して番組の切れ目で行うようにしたことにより、番組視聴中に確認メッセージが画面表示及び／又は音声出力されることはないので、確認メッセージによりユーザの番組視聴が妨げられることはない。また、テレビ視聴時間帯の解析結果を利用して電源のオン／オフ動作を制御するようにしたことにより、ＥＰＧとタイマーからの出力値のみに応じて、電源のオン／オフを制御する場合と比べて、ユーザのライフサイクルにより適合した電源制御が可能となる。
【００３７】
請求項２の発明によれば、ユーザのテレビ視聴時間帯を解析し、この解析結果を利用して自装置の動作を制御することにより、ユーザが簡便な操作で自分のライフサイクルに合ったテレビ視聴を行うことができる。
【００３８】
請求項３の発明によれば、ユーザのテレビ視聴時間帯を解析し、この解析結果を利用して電源のオン動作を制御することにより、ユーザのテレビ視聴時間帯に合わせて自動的に電源をオンにすることができる。
【００３９】
請求項４の発明によれば、ユーザのテレビ視聴時間帯を解析し、この解析結果を利用して電源のオフ動作を制御することにより、例えば、テレビの消し忘れを防止することができる。
【００４０】
請求項５の発明によれば、ユーザのテレビ視聴時間帯の解析結果に加えて、ＥＰＧを利用することにより、例えば、番組の視聴中は、電源のオン／オフや各種メッセージの表示・音声出力等の動作を行うことなく、番組の切れ目でこれらの動作を行うようにすることができるので、ユーザがこれらの動作により番組の視聴を妨げられないようにすることができる。
【図面の簡単な説明】
【図１】本発明の第１の実施形態によるテレビジョン受像機のブロック図。
【図２】ユーザのテレビ視聴状況を例示した図。
【図３】上記受信機における電源オフ情報の管理テーブルの説明図。
【図４】同受信機の電源オフ時間の決定処理を示すフローチャート。
【図５】同受信機の自動電源オフ処理を示すフローチャート。
【図６】同受信機の確認メッセージ表示画面を示す図。
【図７】本発明の第２の実施形態によるテレビジョン受像機の自動電源オフ処理を示すフローチャート。
【図８】本発明の第１の実施形態によるテレビジョン受像機と第２の実施形態によるテレビジョン受像機における自動電源オフ動作の違いの説明図。
【符号の説明】
１    テレビジョン受像機
１７    メモリ（電源オン／オフ情報記憶手段）
１８    タイマー
１９    制御部（制御手段、テレビ視聴時間帯解析手段）
【図１】
2004349946.tif 000003
【図２】
2004349946.tif 000004
【図３】
2004349946.tif 000005
【図４】
2004349946.tif 000006
【図５】
2004349946.tif 000007
【図６】
2004349946.tif 000008
【図７】
2004349946.tif 000009
【図８】
2004349946.tif 000010